(57)【要約】【課題】  リール紐を引き出したり収納したりすることができるリール本体を、突刺ピンのような取付具を使用することなく被服のポケット部に装着するリールポケットを提供する。【解決手段】  リールポケット(20)は、被服(30)の表面側から収納物を出し入れする収納物出入り口(21C)を有するポケット部(21)と、  前記ポケット部(21)の収納物出入り口(21C)から前記リール本体(10)を収納した際に前記のリール紐(11)の紐先端(12)を前記ポケット部(21)から被服(30)の表面側の外へ引き出す紐先端引き出し孔(22)を備える。  ポケット部(21)は、収納物出入り口(21C)を備えて被服(30)の生地へポケット生地を重ね合わせて固定して形成してもよい。【選択図】  図２
2014087304.tif 000002
【特許請求の範囲】
【請求項１】
リール紐を引き出したり収納したりすることができるリール本体を収納するリールポケットであって、
被服の表面側から収納物を出し入れする収納物出入り口を有するポケット部と、
そのポケット部の収納物出入り口から前記リール本体を収納した際に前記リール紐の紐先端が前記ポケット部の内部空間から被服の表面側の外へ引き出せる紐先端引き出し孔と、
を備えたリールポケット。
【請求項２】
前記ポケット部は、前記収納物出入り口を備えて前記被服の生地へポケット生地を重ね合わせて固定して形成した請求項１記載のリールポケット。
【請求項３】
前記被服の生地の裏面側へポケット生地を固定した前記ポケット部は、  前記紐先端引き出し孔が、前記ポケット生地に形成した第一の紐先端引き出し孔と、その第一の紐先端引き出し孔から引き出した前記のリール紐の紐先端を前記被服の生地の表面側の外へ引き出す第二の紐先端引き出し孔と、を備えて形成した請求項２に記載のリールポケット。
【請求項４】
前記ポケット部は、前記収納物出入り口を備えた袋体を前記被服の生地へ固定して形成した請求項１に記載のリールポケット。
【請求項５】
前記被服の生地の裏面側へ袋体を固定した前記ポケット部は、前記紐先端引き出し孔が、前記袋体に形成した第一の紐先端引き出し孔と、その第一の紐先端引き出し孔から引き出した前記のリール紐の紐先端を前記被服の生地の表面側の外へ引き出す第二の紐先端引き出し孔と、を備えた請求項４に記載のリールポケット。
【請求項６】
前記の収納物出入り口から収納されたリール本体におけるリール紐の引き出し部付近をカバーするリール保護体を備えた請求項１から請求項５のいずれかに記載のリールポケット。
【請求項７】
前記ポケット部は、前記の収納物出入り口からリール本体が飛び出さないように覆う蓋部材を備えた請求項１から請求項６のいずれかに記載のリールポケット。
【請求項８】
前記の紐先端引き出し孔の位置を変えられるように形成した請求項１から請求項７のいずれかに記載のリールポケット。
【請求項９】
前記の紐先端引き出し孔を複数備えた請求項１から請求項８のいずれかに記載のリールポケット。
【請求項１０】
前記の収納物出入り口から収納されたリール本体が安定するように、リール本体を押さえる押さえ部材を備えた請求項１から請求項９のいずれかに記載のリールポケット。
【請求項１１】
前記の紐先端引き出し孔から引き出された紐先端に固定されたツールを覆って安定させるためのツールカバーを備えた請求項１から請求項１０のいずれかに記載のリールポケット。
【請求項１２】
前記のリール本体において、前記のポケット部の内面に接する面には、前記の収納物出入り口から収納されたリール本体が飛び出しにくくするための凹凸を備えた請求項１から請求項１１のいずれかに記載のリールポケット。
【発明の詳細な説明】
【技術分野】
【０００１】
本発明は、リール紐を引き出したり収納したりすることができるリール本体を収納するリールポケットに関する。
【背景技術】
【０００２】
釣人は、魚釣りする際に、鋏、カッタ、フックシャープナーなどの魚釣り用の小道具を頻繁に使用する。したがって、魚釣り用の小道具を衣服のポケットやバッグに収納していたのでは不便である。そこで、魚釣り用の小道具を衣服に吊り下げて携帯するためのピンオンリールが使用されている。ピンオンリールは、普段、魚釣り用の小道具を邪魔にならないように衣服に吊り下げて携帯し、必要な時に前記小道具を素早く引き出して使用するものである。
ピンオンリールは、例えば特許文献１に示したように、引出糸が予めケーシングの内部に収容したスプールに巻き取られており、前記引出糸の先端には、小道具を取り付けるためのスナップ等の連結具が設けられている。また、前記ケーシングの外側には、衣服等へ取り付けるための突刺ピンを有する取付部が設けられている。
【０００３】
一方、上記のピンオンリールを取り付けるために、特許文献２に示したように、丈夫なピンオンリール装着片を縫付けた釣り用衣服が使用されている。しかも、前記ピンオンリール装着片は、ピンオンリールの引出糸を引き出しやすくなるように衣服本体に揺動自在に取り付けられている。
【０００４】
【特許文献１】特開２００７−２２２０１２号公報
【特許文献２】特開２０１１−１４２８５３号公報
【発明の概要】
【発明が解決しようとする課題】
【０００５】
特許文献１に示したピンオンリールは、例えば突刺ピンによって衣服に取り付けるとしても、小道具を装着すると重くなるために、その取付け箇所で衣服の生地が傷んでくる。そのために、特許文献２に示したように、衣服にピンオンリール装着片を縫付けた釣り用衣服が使用される。ピンオンリールはピンオンリール装着片に取り付けられるので、衣服の傷みを防止できる。しかし、そのような特殊な釣り用衣服ではなく、普段に着る衣服にピンオンリール装着片を縫付けることは、手間と費用がかかり、容易なことではない。
【０００６】
また、一般の衣服に固定したピンオンリールは、たとえば携帯電話、キーホルダー、装飾品などを引出糸の先端に固定する。一般の衣服も同様に、重さのためにピンオンリールの取付け箇所で衣服の生地が傷んでくる。さらに、一般の衣服にピンオンリール装着片を縫付けることは、見栄えという点ではあまり好ましいものではなく、手間と費用がかかり、容易なことではない。
【０００７】
本発明が解決しようとする課題は、リール紐を引き出したり収納したりすることができるリール本体を、突刺ピンのような取付具を使用することなく被服のポケット部に装着するリールポケットを提供することにある。
【課題を解決するための手段】
【０００８】
（第一の発明）
本願における第一の発明は、  リール紐(11)を引き出したり収納したりすることができるリール本体(10)を収納するリールポケット(20)に係る。
すなわち、  被服(30)の表面側から収納物を出し入れする収納物出入り口(21C)を有するポケット部(21)と、  そのポケット部(21)の収納物出入り口(21C)から前記リール本体(10)を収納した際に前記リール紐(11)の紐先端(12)が前記ポケット部(21)の内部空間から被服(30)の表面側の外へ引き出せる紐先端引き出し孔(22)と、を備える。
【０００９】
（用語説明）
「リール本体」とは、巻き取り機構を備えることによって引き出したリール紐(11)を収納することができるとともに、引き出したリール紐(11)を引き出した状態にて維持するためのロック機構を備えている。
「紐先端」とは、リール紐(11)を固定することで便利に用いる道具（たとえば鋏）を固定する。  前記の道具を直接固定する場合の他、通常は、ワンタッチスナップにおけるオスメス部材のうちの一方を固定している。
「被服」とは、人体を覆う目的の着装物の総称である。衣服の他に、被り物やその他の着装物なども含まれる。
「ポケット部」とは、被服(30)に設けられるポケットであり、後述する実施形態にて示すように様々な形態をすべて含むものである。
【００１０】
（作用）
まず、被服(30)の表面側の収納物出入り口(21C)に対してリール本体(10)を挿入すると、リール本体(10)はポケット部(21)内に収納される。そして、紐先端引き出し孔(22)からリール紐(11)の紐先端(12)を被服(30)の表面側の外へ出す。  紐先端(12)を引っ張ると、リール本体(10)に収納されていたリール紐(11)を引き出すことができる。リール本体(10)は、ポケット部(21)内に収納されているので、邪魔にならない。
【００１１】
（第一の発明のバリエーション１）
第一の発明は、  前記ポケット部(21)は、前記収納物出入り口(21C)を備えて前記被服(30)の生地(31)へポケット生地(21A)を重ね合わせて固定して形成すると、より好ましい。
【００１２】
（作用）
ポケット生地(21A)を被服(30)の生地(31)の表面側へ固定したポケット部(21)の場合、前記紐先端引き出し孔(22)はポケット生地(21A)に形成され、被服(30)の表面側へ臨むこととなる。一方、ポケット生地(21A)を被服(30)の生地(31)の裏面側へ固定したポケット部(21)の場合、前記紐先端引き出し孔(22)を被服(30)の生地(31)に形成すると、被服(30)の表面側へ臨むこととなる。しかし、前記紐先端引き出し孔(22)をポケット生地(21A)と被服(30)の生地(31)との両方に設けても、リール紐(11)の紐先端(12)を被服(30)の表面側の外へ出すことができる。
【００１３】
（第一の発明のバリエーション２）
第一の発明は、以下のように形成してもよい。
すなわち、  前記被服(30)の生地(31)の裏面側へポケット生地(21A)を固定した前記ポケット部(21)は、前記紐先端引き出し孔(22)が、前記ポケット生地(21A)に形成した第一の紐先端引き出し孔(22B)と、その第一の紐先端引き出し孔(22B)から引き出した前記のリール紐(11)の紐先端(12)を前記被服(30)の生地(31)の表面側の外へ引き出す第二の紐先端引き出し孔(22C)と、を備えてもよい。
【００１４】
（作用）
前記ポケット部(21)へ収納したリール本体(10)におけるリール紐(11)の紐先端(12)は、第一の紐先端引き出し孔(22B)から第二の紐先端引き出し孔(22C)を通過させて、被服(30)の生地(31)の表面側の外へ引き出すことができる。
【００１５】
（第一の発明のバリエーション３）
第一の発明に係るリールポケット(20)は、  前記ポケット部(21)は、前記収納物出入り口(21C)を備えた袋体(21B)を前記被服(30)の生地(31)へ固定して形成してもよい。
【００１６】
（作用）
袋体(21B)を被服(30)の生地(31)の表面側へ固定したポケット部(21)の場合、前記紐先端引き出し孔(22)は袋体(21B)に形成され、被服(30)の表面側へ臨むこととなる。一方、袋体(21B)を被服(30)の生地(31)の裏面側へ固定したポケット部(21)の場合、前記紐先端引き出し孔(22)は袋体(21B)と被服(30)の生地(31)の両方に形成することによって、リール紐(11)の紐先端(12)を被服(30)の表面側の外へ出すことができる。
【００１７】
（第一の発明のバリエーション４）
第一の発明に係るリールポケット(20)は、以下のように形成してもよい。
すなわち、  前記被服(30)の生地(31)の裏面側へ袋体(21B)を固定した前記ポケット部(21)は、前記紐先端引き出し孔(22)が、前記袋体(21B)に形成した第一の紐先端引き出し孔(22B)と、その第一の紐先端引き出し孔(22B)から引き出した前記のリール紐(11)の紐先端(12)を前記被服(30)の生地(31)の表面側の外へ引き出す第二の紐先端引き出し孔(22C)と、を備えることとしてもよい。
【００１８】
（作用）
前記ポケット部(21)へ収納したリール本体(10)におけるリール紐(11)の紐先端(12)は、第一の紐先端引き出し孔(22B)から第二の紐先端引き出し孔(22C)を通過させて、被服(30)の生地(31)の表面側の外へ引き出すことができる。
【００１９】
（第一の発明のバリエーション５）
第一の発明に係るリールポケット(20)は、  前記の収納物出入り口(21C)から収納されたリール本体(10)におけるリール紐(11)の引き出し部付近をカバーするリール保護体(23)を備えることとしてもよい。
【００２０】
（用語説明）
「リール保護体」は、リール本体(10)がリール紐(11)を巻き取る際に、紐先端(12)へ固定した道具がリール本体(10)へ直接衝突することを防ぐ緩衝材の役割を果たす。
【００２１】
（作用）
紐先端(12)へ固定した道具を引っ張ってリール本体(10)からリール紐(11)を引き出し、前記道具にて作業する。その作業後にリール紐(11)が巻き戻されるとき、紐先端(12)の道具がリール本体(10)へ直接衝突しないようにリール保護体(23)が緩衝材となる。
【００２２】
（第一の発明バリエーション６）
第一の発明および第二の発明に係るリールポケット(20)は、  前記ポケット部(21)は、前記の収納物出入り口(21C)からリール本体(10)が飛び出さないように覆う蓋部材(24)を備えることとしてもよい。
【００２３】
（作用）
蓋部材(24)が存在するので、被服(30)が揺れるなどしても、リール本体(10)がリールポケット(20)の収納物出入り口(21C)から飛び出すことを防いでくれる。この場合、紐先端引き出し孔(22)は、前記蓋部材(24)に形成することもできる。
【００２４】
（第一の発明のバリエーション７）
第一の発明に係るリールポケット(20)は、前記の紐先端引き出し孔(22)の位置を変えられるように形成してもよい。
具体的には、たとえば、ポケット生地(21A)または袋体(21B)の側面に２つ以上のスライダーを有する線状のファスナーにて開閉可能に設ける。前記２つスライダー間に紐先端引き出し孔(22)に該当する開口が形成される。前記２つスライダーを移動させることによって前記開口、すなわち紐先端引き出し孔(22) の位置が変わる。
【００２５】
（作用）
被服(30)におけるリールポケット(20)の位置によって、リール本体(10)のリール紐(11)を引き出し易い方向がある。紐先端引き出し孔(22)の位置を変えられるように形成したので、最もリール紐(11)を引き出しやすい箇所を選ぶこととなる。
【００２６】
（第一の発明のバリエーション８）
第一の発明に係るリールポケット(20)は、前記の紐先端引き出し孔(22)を複数備えることとしてもよい。
たとえば、真下と左右のいずれか、あるいは、左右の両方、真上と真下、などである。
【００２７】
（作用）
被服(30)におけるリールポケット(20)の位置によって、リール本体(10)のリール紐(11)を引き出し易い方向がある。紐先端引き出し孔(22)を複数備えたので、そのうち最もリール紐(11)を引き出しやすい箇所を選ぶこととなる。
【００２８】
（第一の発明のバリエーション９）
第一の発明に係るリールポケット(20)は、前記の収納物出入り口(21C)から収納されたリール本体(10)が安定するように、リール本体(10)を押さえるための押さえ部材(25)を備えることとしてもよい。
【００２９】
（作用）
押さえ部材(25)を設けたので、たとえば被服(30)が上下に揺れるなどしても、リール本体(10)がリールポケット(20)の収納物出入り口(21C)から飛び出すことを防いでくれる。また、リール本体(10)が押さえ部材(25)によって下方へ押えられるので、リールポケット(20)の内部へ安定した状態で収納される。
【００３０】
（第一の発明のバリエーション１０）
第一の発明に係るリールポケット(20)は、  前記の紐先端引き出し孔(22)から引き出された紐先端(12)に固定されたツール(40)を覆って安定させるためのツールカバー(50)を備えることとしてもよい。
【００３１】
（作用）
ツールカバー(50)を設けたので、たとえば被服(30)が揺れるなどしても、紐先端 (12)に固定されたツール(40)を覆って、ツール(40)が揺れないように押えて安定させる。
【００３２】
（第一の発明のバリエーション１１）
第一の発明に係るリールポケット(20)は、  前記のリール本体(10)において、前記のポケット部(21) の内面に接する面には、前記の収納物出入り口(21C)から収納されたリール本体(10)が飛び出しにくくするための凹凸(13)を備えることとしてもよい。
【００３３】
（作用）
凹凸(13)を設けたので、収納物出入り口(21C)から収納されたリール本体(10)は、ポケット部(21) の内面にて凹凸(13)に沿って押えられることとなる。したがって、被服(30)が大きく揺れるなどしても、リール本体(10)がリールポケット(20)の収納物出入り口(21C)から飛び出すことを防いでくれる。
【発明の効果】
【００３４】
本願の第一の発明によれば、リール紐を引き出したり収納したりすることができるリール本体を、突刺ピンのような取付具を使用することなく被服のポケット部に装着するリールポケットを提供することができた。
【図面の簡単な説明】
【００３５】
【図１】第一の実施形態のリールポケットを被服である釣り用ベストに設けたことを示す斜視図である。
【図２】第一の実施形態のリールポケットを示す斜視図である。
【図３】（ａ）は、図２の右から視た断面図であり、（ｂ）は、リール本体を挿入した状態を示す断面図である。
【図４】図２のリールポケットの構成を示す分解斜視図である。
【図５】（ａ）は、引き出したリール紐がリール本体へ戻される時の状態を示し、（ｂ）は、リール紐の紐先端に固定した道具がリール保護体に衝突した状態を示す説明図である。
【図６】図２のリールポケットに対して蓋部材を設けた状態を示す斜視図である。
【図７】図６のリールポケットにおいて蓋部材を開けた状態を示す分解斜視図である。
【図８】（ａ），（ｂ），（ｃ）は、図７のリールポケットにおいてリール本体を３通りの方向で挿入したときの正面図である。
【図９】第二の実施形態のリールポケットを示す斜視図である。
【図１０】（ａ）は、図９のリールポケットにおいてリール紐の紐先端がリール保護体のスリットを広げて引き出される時の状態を示し、（ｂ）は、リール紐の紐先端がリール保護体に衝突した状態を示す説明図である。
【図１１】図９のリールポケットにおいてツールカバーを備えた斜視図である。
【図１２】図９のリールポケットにおいて別のツールカバーを備えた斜視図である。
【図１３】図９のリールポケットにおいて別のツールカバーを備えた斜視図である。
【図１４】第三の実施形態のリールポケットを示す斜視図である。
【図１５】図１４のリールポケットにおいてツールカバーを備えた斜視図である。
【図１６】図１４のリールポケットにおいて別のツールカバーを備えた斜視図である。
【図１７】図１４のリールポケットにおいて別のツールカバーを備えた斜視図である。
【図１８】（ａ）は、第四の実施形態のリールポケットを示す斜視図であり、（ｂ）は、リール本体をリールポケットに挿入した状態を示す斜視図であり、（ｃ）は、リールポケットが揺れた時のリール本体の動作を示す斜視図である。
【図１９】（ａ）は、第五の実施形態のリールポケットを示す斜視図で、（ｂ）は、リール本体をリールポケットに挿入した状態を示す斜視図であり、（ｃ）は、リールポケットが揺れた時のリール本体の動作を示す斜視図である。
【図２０】第六の実施形態のリールポケットを示す斜視図である。
【図２１】（ａ）は、図２０の右から視た断面図であり、（ｂ）は、リール本体を挿入した状態を示す断面図である。
【図２２】第七の実施形態のリールポケットを示す斜視図である。
【図２３】（ａ）は、図２２の右から視た断面図であり、（ｂ）は、リール本体を挿入した状態を示す断面図である。
【図２４】第八の実施形態のリールポケットを示す斜視図である。
【図２５】（ａ）は、図２４の右から視た断面図であり、（ｂ）は、リール本体を挿入した状態を示す断面図である。
【図２６】（ａ）は、第九の実施形態のリールポケットを示す断面図であり、（ｂ）は、（ａ）のリールポケットへリール本体を挿入した状態を示す断面図である。
【図２７】（ａ）は、第十の実施形態のリールポケットを示す断面図であり、（ｂ）は、（ａ）のリールポケットへリール本体を挿入した状態を示す断面図である。
【図２８】（ａ）は、第十一の実施形態のリールポケットを示す断面図であり、（ｂ）は、（ａ）のリールポケットへリール本体を挿入した状態を示す断面図である。
【図２９】（ａ）は、リールポケットを設けた釣り用ベストを示す斜視図であり、（ｂ）は、（ａ）のリールポケットを示す斜視図である。
【図３０】（ａ）は、他のリールポケットを設けた釣り用ベストを示す斜視図であり、（ｂ）および（ｃ）は、釣り用ベストに設けた別のリールポケットの正面図である。
【図３１】（ａ）は、リールポケットを設けた釣り用ベストを示す斜視図であり、（ｂ）は、（ａ）のリールポケットを示す正面図および側面図であり、（ｃ）は、（ａ）の他のリールポケットを示す正面図および側面図である。
【図３２】（ａ）は、リールポケットを設けた背広を示す正面図であり、（ｂ）は、（ａ）のリールポケットを設けた背広の裏面を示す斜視図である。
【発明を実施するための形態】
【００３６】
以下、本発明の実施形態について図面を参照して説明する。
本実施形態に係るリールポケット２０は、図１および図２に示すように、例えば釣人が着用する釣り用ベスト３２などの被服３０のポケット部２１へ設けるものである。さらに、たとえば釣人が魚釣りする際に、鋏、カッタ、フックシャープナーなどの魚釣り用のツール４０（図５参照）を前記被服３０に吊り下げて携帯するためのリール本体１０を収納するものである。
前記被服３０とは、人体を覆う目的の着装物の総称である。衣服の他に、被り物やその他の着装物なども含まれる。
【００３７】
リール本体１０とは、リール紐１１を引き出したり収納したりすることができるものである。すなわち、リール本体１０の内部には、リール紐１１を引き出したり収納したりする巻き取り機構を備えている。さらに、引き出したリール紐１１を引き出した状態にて維持するためのロック機構も備えている。
【００３８】
上記の巻き取り機構としては、例えば従来技術の特許文献１で示されたピンオンリールのケーシング内部に収容されたスプールなどの従前の機構と同様のものでよい。その一例を示すと、リール紐１１がスプールに巻き取られており、前記スプールはリール本体１０の内部に支持軸にて回転可能に支持され、前記支持軸とスプールとの間に設けた巻きばねによって巻き戻される構造である。
【００３９】
前記リール紐１１の紐先端１２には作業用の道具を固定する。紐先端１２とは、リール紐１１を固定することで便利に用いるツール４０などの道具を固定する。前記ツール４０としては、たとえば魚釣り用の，鋏、カッタ、フックシャープナーなどがある。  本実施形態では、前記紐先端１２としては、道具を直接固定する場合の他、通常は、図２に示すようにワンタッチスナップにおけるオスメス部材のうちの一方を固定している。
【００４０】
前記リールポケット２０は、図２に示すように、被服３０に備えた、収納物を出し入れする収納物出入り口２１Ｃを有するポケット部２１を使用するものである。
前記ポケット部２１は、図２から図５に示すように、前記収納物出入り口２１Ｃが被服３０の表面側から収納物を出し入れする場合と、図２０および図２１に示すように、前記収納物出入り口２１Ｃが被服３０の裏面側から収納物を出し入れする場合がある。
【００４１】
まず、図２から図５に示すリールポケット２０について説明する。
ポケット部２１は、被服３０の表面側から収納物を出し入れする収納物出入り口２１Ｃを備えて被服３０の生地３１へポケット生地２１Ａを重ね合わせて、たとえば縫製によって固定して形成されている。
【００４２】
前記リールポケット２０は、収納物出入り口２１Ｃから入れたリール本体１０を収納した際に、リール紐１１の紐先端１２を前記ポケット部２１から被服３０の表面側の外へ引き出す紐先端引き出し孔２２を備えている。
この場合は、前記紐先端引き出し孔２２は、ポケット生地２１Ａに形成されることで、被服３０の表面側へ臨むこととなる。
【００４３】
前記リールポケット２０は、その内部にリール保護体２３を備えることができる。前記リール保護体２３は、収納物出入り口２１Ｃから収納されたリール本体１０におけるリール紐１１の引き出し部付近をカバーするものである。また、前記リール保護体２３は、リール本体１０がリール紐１１を巻き取る際に、紐先端１２へ固定したツール４０がリール本体１０へ直接衝突することを防ぐ緩衝材の役割を果たす。
【００４４】
前記リール保護体２３の一例としては、たとえば図４に示すようにゴム製の帯状体からなり、ポケット生地２１Ａの両側面と底面に沿う上向きコ字形状に形成されている。さらに、前記帯状体の幅の中央に、当該帯状体の長手方向に延びるスリット２３Ａが設けられる。前記スリット２３Ａはリール紐１１を通すための自在孔である。
【００４５】
なお、スリット２３Ａはその長手方向に適宜間隔を介して連結部にて連結されている。前記帯状体はゴム製で弾力性があるのでスリット２３Ａを広げて紐先端１２を通過させることによって、スリット２３Ａにリール紐１１を通すことができる。その後、広げる力を解放すると帯状体のスリット２３Ａが元の状態に戻る。また、前記リール保護体２３は、前記帯状体の側縁に沿ってフランジ２３Ｂが形成されている。
前記リール保護体２３は、収納物出入り口２１Ｃからポケット部２１の内部へ挿入する。
【００４６】
上記のリールポケット２０における作用について説明する。
まず、リール本体１０を被服３０の表面側の収納物出入り口２１Ｃから挿入すると、図３（ｂ）および図５に示すようにポケット部２１の内部で、被服３０の生地３１とポケット生地２１Ａとに挟まれるように収納される。それから、リール保護体２３のスリット（自在孔）２３Ａを広げてリール紐１１の紐先端１２を通過させ、紐先端引き出し孔２２から被服３０の表面側の外へ出す。その紐先端１２へ、鋏、カッタ、フックシャープナーなどの魚釣り用のツール４０を固定する。
【００４７】
前記紐先端１２へ固定したツール４０を引っ張ると、リール本体１０に収納されていたリール紐１１を引き出すことができる。鋏などのツール４０を操作して作業するとき、リール本体１０がポケット部２１の内部に収納されているので邪魔にならない。また、リール本体１０内にロック機構を備えていると、リール紐１１がちょうど良い長さで作業が容易になる。その作業が終わったら前記ロック機構を解除し、リール紐１１が再びリール本体１０に巻き戻される。リール紐１１が巻き戻される際に、リール保護体２３が緩衝材となって前記ツール４０がリール本体１０へ直接衝突することを防ぐこととなる。
【００４８】
次に、第一の実施形態のバリエーションに係るリールポケットについて説明する。主に前述したリールポケット２０に対して異なる点を説明し、同様の部分の説明は適宜省略する。
【００４９】
図６および図７に示すように、前述したリールポケット２０に対して、収納物出入り口２１Ｃからリール本体１０が飛び出さないように覆う蓋部材２４を備えことができる。
蓋部材２４は、ポケット生地２１Ａの上方にて前記収納物出入り口２１Ｃを覆うようにして、蓋部材２４の一側縁側を被服３０の生地３１の表面に固定する。
さらに、蓋部材２４の他側縁側をポケット生地２１Ａに開閉可能に固定するために、面ファスナーなどの蓋固定部材２４Ａを設ける。すなわち、前記蓋固定部材２４Ａは、互いに、くっつけたり剥がしたりできる，対をなす固定部材片２４Ａａと固定部材片２４Ａｂとからなる。前記固定部材片２４Ａａは蓋部材２４に取り付け、前記固定部材片２４Ａｂはポケット生地２１Ａに取り付ける。
【００５０】
蓋部材２４を設けたので、たとえば被服３０である衣服が揺れるなどしても、リール本体１０がリールポケット２０の収納物出入り口２１Ｃから飛び出すことを防いでくれる。  なお、前記蓋固定部材２４Ａは、一般に使用されるボタンなどの留め具でも良く、特に限定されない。
【００５１】
実施形態のバリエーションとしては、前述したリールポケット２０に対して、前記紐先端引き出し孔２２を複数箇所に設けることができる。たとえば、真下と左右のいずれか、あるいは、左右の両方、真上と真下、などである。
【００５２】
具体的には、たとえば図２、図４、図６および図７に示すようにリールポケット２０の下部に位置する孔だけでなく、図において左右の横に位置する横孔２２Ａ，２２Ａを設けることができる。なお、横孔２２Ａは紐先端引き出し孔２２と同じであるが、図では分かりやすく符号を変えている。
【００５３】
図８（ａ）では、紐先端引き出し孔２２がリールポケット２０の下部に位置している。図８（ｂ）では横孔２２Ａがリールポケット２０の右横に、図８（ｃ）では横孔２２Ａがリールポケット２０の左横に位置している。リール本体１０を収納物出入り口２１Ｃから挿入する際、リール本体１０から引き出されるリール紐１１の紐先端１２を、目的の紐先端引き出し孔２２、横孔２２Ａ，２２Ａの位置に合わせるようにする。
【００５４】
被服３０におけるリールポケット２０の位置によって、リール本体１０のリール紐１１を引き出し易い方向がある。紐先端引き出し孔２２（横孔２２Ａ，２２Ａを含む）を複数箇所に設けたので、紐先端引き出し孔２２，横孔２２Ａ，２２Ａのうちで最もリール紐１１を引き出し易い箇所を選ぶことができる。
【００５５】
第二の実施形態としては、前述したリールポケット２０に対して、前記紐先端引き出し孔２２の位置を変えられるように形成してもよい。
具体的には、図９および図１０に示すように、ポケット生地２１Ａの両側面と底面を、線状のファスナー２７にて開閉可能に設け、２つ以上のスライダー２７Ａ，２７Ａによって開口２７Ｃを変えられるように構成することができる。ファスナー２７は、基本的には左右対のテープ状の基材に並べたエレメント２７Ｂをスライダー２７Ａによって噛み合わせたり離したりして開閉するものである。
本実施形態では少なくとも２つのスライダー２７Ａ，２７Ａを備えることによって、２つのスライダー２７Ａ，２７Ａの間に、前記紐先端引き出し孔２２に該当する開口２７Ｃを形成する。前記２つのスライダー２７Ａ，２７Ａを移動して前記開口２７Ｃの位置を自在に変えることができる。
【００５６】
図１０（ａ）は、リール保護体２３のスリット（自在孔）２３Ａを広げてリール紐１１の紐先端１２を通過させ、２つのスライダー２７Ａ，２７Ａの間の開口２７Ｃから外に引き出した状態を示している。図１０（ｂ）は、リール紐１１が再びリール本体１０に巻き戻され、前記紐先端１２がリール保護体２３に付き当った状態を示している。
したがって、紐先端引き出し孔２２に該当する開口２７Ｃは、被服３０におけるリールポケット２０の位置によって、リール本体１０のリール紐１１を引き出し易い方向の箇所へ変えることができる。
【００５７】
実施形態のバリエーションとしては、前述したリールポケット２０に対して、図１１〜図１３に示すように構成することができる。前記紐先端引き出し孔２２あるいは前記開口２７Ｃから引き出された紐先端１２へ固定したツール４０を覆って安定させるためのツールカバー５０を備えることができる。なお、他は図９と同様である。
【００５８】
図１１では、ツールカバー５０が、２つのツールカバーテープ５１，５１を上下に並列している。各ツールカバーテープ５１，５１は、ツール４０としての小型ハサミ４１を挿入できる間隔５１Ａ，５１Ａを形成するように横方向の両端側を被服３０の生地３１に固定している。
図１２では、ツールカバー５０は、ツールポケット生地５２を被服３０の生地３１へ重ね合わせて、ツール４０としての小型ハサミ４１を挿入する開口５２Ａを備えたポケット形状となるように固定している。
【００５９】
図１３では、ツールカバー５０は、ツールカバーシート５３を被服３０の生地３１へ重ね合わせて、ツール４０としての小型ハサミ４１を挿入する開口５３Ａを備えたポケット形状となるように面ファスナーなどのツールカバー固定部材５４にて開閉可能に固定している。
すなわち、前記ツールカバー固定部材５４は、ワンタッチファスナーのように、互いにくっつけたり剥がしたりでき、対をなす固定部材片５４Ａと固定部材片５４Ｂとからなる。前記固定部材片５４Ａはツールカバーシート５３に取り付け、前記固定部材片５４Ｂは被服３０の生地３１に取り付ける。
上記のようにツールカバー５０を設けたので、たとえば被服３０である衣服が揺れるなどしても、紐先端１２へ固定したツール４０を覆って、ツール４０である例えば小型ハサミ４１が揺れないように押えて安定させる。
【００６０】
第三の実施形態としては、前述したリールポケット２０に対して、線状のファスナー２７によって、前記収納物出入り口２１Ｃを開閉可能にするとともに、前記紐先端引き出し孔２２の位置も変えられるように形成してもよい。
具体的には、図１４に示すように、ポケット生地２１Ａを被服３０の生地３１へ重ね合わせて上下左右の側縁側を固定して袋状に形成する。さらに、前記ポケット生地２１Ａの両側面と上面と底面とのほぼ全周あるいは全周を、線状のファスナー２７にて開閉可能に設け、２つ以上のスライダー２７Ａ，２７Ａによって開口２７Ｃを変えられるように構成することができる。ファスナー２７の構成は、図９のリールポケット２０について説明した通りである。
【００６１】
２つのスライダー２７Ａ，２７Ａの間に開口２７Ｃを形成する。前記２つのスライダー２７Ａ，２７Ａを移動して前記開口２７Ｃの位置を自在に変えることができる。したがって、２つのスライダー２７Ａ，２７Ａをポケット生地２１Ａの上面に移動して上部に開口２７Ｃを形成することによって、前記上部に開口２７Ｃは前記収納物出入り口２１Ｃに該当する開口２７Ｃとなる。その上部の開口２７Ｃからリール本体１０を出し入れすることができる。
【００６２】
リールポケット２０の内部に、前述したリール保護体２３とほぼ同様のリール保護体（図示省略）を備えることができる。異なる点は帯状体が全周にわたって形成され、スリット（自在孔）２３Ａも帯状体の全周にわたって形成されている。なお、スリット２３Ａはその長手方向に適宜間隔を介して連結部にて連結されている。  前記リール本体１０およびリール保護体は、大きく開いた上記の開口２７Ｃからポケット部２１の内部へ挿入する。
【００６３】
２つのスライダー２７Ａ，２７Ａをポケット生地２１Ａの側面あるいは底面へ移動すると、上部の開口２７Ｃが閉じられる。さらに、２つのスライダー２７Ａ，２７Ａをリール本体１０のリール紐１１を引き出し易い位置へ移動し、紐先端引き出し孔２２に該当する開口２７Ｃを形成することができる。その開口２７Ｃからリール紐１１の紐先端１２を通過させ外に引き出す。
【００６４】
実施形態のバリエーションとしては、前述したリールポケット２０に対して、図１５〜図１７に示すように、前記開口２７Ｃから引き出された紐先端１２へ固定したツール４０を覆って安定させるためのツールカバー５０を備えることができる。なお、他は図１４と同様である。また、上記のツールカバー５０については、前述した図１１〜図１３におけるツールカバー５０と同様であるので、詳しい説明は省略する。
図１５のツールカバー５０は、図１１におけるツールカバー５０と同様である。
図１６のツールカバー５０は、図１２におけるツールカバー５０と同様である。
図１７のツールカバー５０は、図１３におけるツールカバー５０と同様である。
【００６５】
第四の実施形態のバリエーションとしては、前述したリールポケット２０に対して、前記収納物出入り口２１Ｃから収納されたリール本体１０が安定するように、リール本体１０を押さえる押さえ部材２５を備えることができる。他は図２とほぼ同様である。
具体的には、たとえば図１８に示すようにリールポケット２０は、被服３０の生地３１と、前記リール本体１０を出し入れする収納物出入り口２１Ｃを備えて前記被服３０の生地３１へ重ね合わせて固定されるポケット生地２１Ａと、を備える。  さらに、収納物出入り口２１Ｃから入れたリール本体１０を収納した際に、リール紐１１の紐先端１２をリールポケット２０から外へ引き出すための紐先端引き出し孔２２を備えている。
【００６６】
前記押さえ部材２５は、収納物出入り口２１Ｃの幅のほぼ中央に位置して、当該収納物出入り口２１Ｃの長手方向に向けて延びたゴム製の棒状体である。押さえ部材２５は、張力を有するように前記棒状体の両端がポケット生地２１Ａの側面に固定されている。
リール本体１０を収納物出入り口２１Ｃから挿入するには、押さえ部材２５を伸ばして図１８（ａ）から図１８（ｂ）の状態となるように内部へ挿入する。リール本体１０は被服３０の生地３１とポケット生地２１Ａとに挟まれ、上部は押さえ部材２５にて押えられるので安定する。リール本体１０におけるリール紐１１の紐先端１２を紐先端引き出し孔２２から外に引き出す。
したがって、押さえ部材２５を設けたので、図１８（ｃ）に示すように、たとえば被服３０が上下に揺れるなどしても、リール本体１０がリールポケット２０の収納物出入り口２１Ｃから飛び出すことを防いでくれる。また、リール本体１０が押さえ部材２５によって下方へ押えられるので、リールポケット２０の内部へ安定した状態で収納される。
【００６７】
第五の実施形態としては、前述したリールポケット２０に対して、図１９（ａ）に示すように構成することができる。前記リール本体１０は、被服３０の生地３１の内側面またはポケット生地２１Ａの内側面に接する面に、収納物出入り口２１Ｃから収納されたリール本体１０が飛び出しにくくするための凹凸１３を備えることができる。
リール本体１０を収納物出入り口２１Ｃから挿入すると、リール本体１０は被服３０の生地３１とポケット生地２１Ａとに挟まれる。このとき、図１９（ｂ）に示すように、被服３０の生地３１の内側面またはポケット生地２１Ａの内側面が、前記凹凸１３に沿ってリール本体１０を押えることになる。
したがって、凹凸１３を設けたので、図１９（ｃ）に示すように、たとえば被服３０が大きく揺れるなどしても、リール本体１０がリールポケット２０の収納物出入り口２１Ｃから飛び出すことを防いでくれる。
【００６８】
以上のように記載した各実施形態のリールポケット２０は、前述したようにいろいろな被服３０におけるポケット部２１を使用することができるので、被服３０およびポケット部２１は特に限定されない。
その一例として、第六の実施形態に係るリールポケットについて、図２０および図２１に示すリールポケット２０について説明する。主として図２から図５に示したリールポケット２０に対して異なる点を説明し、同様の部分は説明を省略する。
【００６９】
リールポケット２０は、ポケット部２１が、被服３０の裏面側から収納物を出し入れする収納物出入り口２１Ｃを備えて被服３０の生地３１へポケット生地２１Ａを重ね合わせて、たとえば縫製によって固定して形成されている。
前記リールポケット２０は、収納物出入り口２１Ｃから入れたリール本体１０を収納した際に、リール紐１１の紐先端１２を前記ポケット部２１から被服３０の表面側の外へ引き出す紐先端引き出し孔２２を備えている。  この場合は、前記紐先端引き出し孔２２は、被服３０の生地３１に形成されることで、被服３０の表面側へ臨むこととなる。
前記リールポケット２０は、収納物出入り口２１Ｃから収納されたリール本体１０におけるリール紐１１の引き出し部付近をカバーするために、図４で説明したものと同様のリール保護体２３を、ポケット部２１の内部に備えることができる。図２０ではリール保護体２３を図示省略している。
【００７０】
上記のリールポケット２０における作用について説明する。
まず、リール本体１０を被服３０の裏面側の収納物出入り口２１Ｃから挿入すると、ポケット部２１の内部で、被服３０の生地３１とポケット生地２１Ａとに挟まれるように収納される。それから、図２１（ｂ）に示すように、リール紐１１の紐先端１２を紐先端引き出し孔２２から被服３０の表面側の外へ出す。その紐先端１２へ、鋏、カッタ、フックシャープナーなどの魚釣り用のツール４０を固定する。
前記紐先端１２へ固定したツール４０を引っ張ると、リール本体１０に収納されていたリール紐１１を引き出すことができる。鋏などのツール４０を操作して作業するとき、リール本体１０がポケット部２１の内部に収納されているので邪魔にならない。
【００７１】
実施形態のバリエーションとしては、前述したリールポケット２０に対して、図２０の二点鎖線で示すように、前記紐先端引き出し孔２２（横孔２２Ａ，２２Ａを含む）を複数箇所に設けることができる。たとえば、真下と左右のいずれか、あるいは、左右の両方、真上と真下、などである。その作用については、図２のリールポケット２０にて説明した通りである。
【００７２】
第七の実施形態としては、前述したリールポケット２０に対して、図２２および図２３に示すように構成することができる。前記紐先端引き出し孔２２は、ポケット生地２１Ａに形成した第一の紐先端引き出し孔２２Ｂと、その第一の紐先端引き出し孔２２Ｂから引き出した前記のリール紐１１の紐先端１２を前記被服３０の生地３１の表面側の外へ引き出す第二の紐先端引き出し孔２２Ｃと、で構成する。
なお、前記第一の紐先端引き出し孔２２Ｂおよび前記第二の紐先端引き出し孔２２Ｃは、前述した図２〜図８にて説明したように、複数箇所に設けることができる。たとえば、真下と左右のいずれか、あるいは、左右の両方、真上と真下、などである。
【００７３】
図２３（ｂ）に示すように、リール本体１０を被服３０の裏面側の収納物出入り口２１Ｃから挿入する。リール紐１１の紐先端１２を第一の紐先端引き出し孔２２Ｂから被服３０の裏面側へ出し、次いで第二の紐先端引き出し孔２２Ｃから被服３０の表面側の外へ出す。その紐先端１２へ、鋏、カッタ、フックシャープナーなどの魚釣り用のツール４０を固定する。前記紐先端１２へ固定したツール４０を引っ張ると、リール本体１０に収納されていたリール紐１１を被服３０の表面側へ引き出すことができる。
【００７４】
第八の実施形態としては、前述したリールポケット２０に対して、図２４および図２５に示すように構成することができる。ポケット部２１は、被服３０の表面側から収納物を出し入れする収納物出入り口２１Ｃを備えて被服３０の生地３１の裏面側へポケット生地２１Ａを重ね合わせて、たとえば縫製によって固定して形成されている。被服３０の生地３１に形成した開口が前記収納物出入り口２１Ｃであり、被服３０の表面側から収納物を出し入れすることができる。
さらに、前記リールポケット２０は、収納物出入り口２１Ｃから入れたリール本体１０を収納した際に、リール紐１１の紐先端１２を前記ポケット部２１から被服３０の表面側の外へ引き出す紐先端引き出し孔２２を備えている。この紐先端引き出し孔２２は、被服３０の生地３１に形成されることで、被服３０の表面側へ臨んでいる。
【００７５】
また、実施形態のバリエーションとしては、上記の図２４および図２５に示すリールポケット２０に対して、図２２および図２３の場合と同様に構成することができる。紐先端引き出し孔２２は、ポケット生地２１Ａに形成した第一の紐先端引き出し孔２２Ｂと、その第一の紐先端引き出し孔２２Ｂから引き出したリール紐１１の紐先端１２を被服３０の生地３１の表面側の外へ引き出す第二の紐先端引き出し孔２２Ｃと、で構成する。また、前記第一の紐先端引き出し孔２２Ｂおよび前記第二の紐先端引き出し孔２２Ｃについても同様に、複数箇所に形成することができる。
【００７６】
また、実施形態のバリエーションとしては、上記の図２２および図２３に示すリールポケット２０に対しても、さらには図２４および図２５に示すリールポケット２０に対して、前記第一の紐先端引き出し孔２２Ｂの位置を変えられるように形成してもよい。
具体的には、図９に示すリールポケット２０と同様に、ポケット生地２１Ａの両側面と底面を、線状のファスナー２７にて開閉可能に設け、２つ以上のスライダー２７Ａ，２７Ａによって開口２７Ｃを変えられるように構成することができる。
あるいは、図１４に示すリールポケット２０と同様に、ポケット生地２１Ａを被服３０の生地３１へ重ね合わせて上下左右の側縁側を固定して袋状に形成する。さらに、前記ポケット生地２１Ａの両側面と上面と底面とのほぼ全周あるいは全周を、線状のファスナー２７にて開閉可能に設け、２つ以上のスライダー２７Ａ，２７Ａによって開口２７Ｃを変えられるように構成することができる。
【００７７】
第九の実施形態としては、前述したリールポケット２０に対して、図２６〜図２７に示すように、ポケット部２１は、収納物出入り口２１Ｃを備えた袋体２１Ｂを被服３０の生地３１へ、たとえば縫製によって固定して形成することができる。
図２６のリールポケット２０は、袋体２１Ｂを被服３０の生地３１の表面側へ固定したポケット部２１である。前記袋体２１Ｂは、少なくとも上部の収納物出入り口２１Ｃの付近を被服３０の生地３１へ固定している。前記収納物出入り口２１Ｃは、被服３０の表面側で収納物を出し入れするものである。この場合、紐先端引き出し孔２２は袋体２１Ｂに形成され、被服３０の表面側へ臨むこととなる。
【００７８】
第十の実施形態について説明する。
図２７のリールポケット２０は、袋体２１Ｂを被服３０の生地３１の裏面側へ固定したポケット部２１である。前記袋体２１Ｂは、少なくとも上部の収納物出入り口２１Ｃの付近を被服３０の生地３１へ固定している。前記収納物出入り口２１Ｃは、被服３０の裏面側で収納物を出し入れするものである。
【００７９】
この場合、紐先端引き出し孔２２は、図２２および図２３の場合と同様に、前記袋体２１Ｂに形成した第一の紐先端引き出し孔２２Ｂと、その第一の紐先端引き出し孔２２Ｂから引き出したリール紐１１の紐先端１２を被服３０の生地３１の表面側の外へ引き出す第二の紐先端引き出し孔２２Ｃと、で構成する。また、前記第一の紐先端引き出し孔２２Ｂおよび前記第二の紐先端引き出し孔２２Ｃについても同様に、複数箇所に形成することができる。
【００８０】
第十一の実施形態に係る図２８のリールポケット２０は、袋体２１Ｂを被服３０の生地３１の裏面側へ固定したポケット部２１である。前記袋体２１Ｂは、少なくとも上部の収納物出入り口２１Ｃの付近を被服３０の生地３１へ固定している。この場合の収納物出入り口２１Ｃは、被服３０の表面側で収納物を出し入れするものである。つまり、前記収納物出入り口２１Ｃは、被服３０の生地３１に形成した開口に連通している。
【００８１】
この場合、紐先端引き出し孔２２は、図２２および図２３の場合と同様に、前記袋体２１Ｂに形成した第一の紐先端引き出し孔２２Ｂと、その第一の紐先端引き出し孔２２Ｂから引き出したリール紐１１の紐先端１２を被服３０の生地３１の表面側の外へ引き出す第二の紐先端引き出し孔２２Ｃと、で構成する。また、前記第一の紐先端引き出し孔２２Ｂおよび前記第二の紐先端引き出し孔２２Ｃについても同様に、複数箇所に形成することができる。
【００８２】
なお、上述した図２０〜図２８のリールポケット２０は、いずれも前述した図２〜図１９のリールポケット２０における種々の実施形態を同様に適用することができる。それらについての詳しい説明は省略するが、以下にいくつかの適用例を示す。
【００８３】
図２９（ａ）では、被服３０は釣人が着用する釣り用ベスト３２で、そのフロント側の裏面に、リールポケット２０を形成している。詳しく説明すると、このリールポケット２０は、前述した図２２および図２３のリールポケット２０と同様である。
図２９（ｂ）に示すように、前記リールポケット２０における第一の紐先端引き出し孔２２Ｂに近い場所に、釣り用ベスト３２のフロント側の表裏面に貫通する第二の紐先端引き出し孔２２Ｃを形成している。さらに、前記第二の紐先端引き出し孔２２Ｃの下方位置に、図１１〜図１３に示すようなツールカバー５０を釣り用ベスト３２のフロント側の表面に形成している。図２９（ｂ）は図１３に示すツールカバー５０と同様である。
【００８４】
前記リールポケット２０に収納したリール本体１０から引き出したリール紐１１の紐先端１２を、前記第二の紐先端引き出し孔２２Ｃへ通過させて釣り用ベスト３２のフロント側の表面に出す。前記紐先端１２へツール４０としての小型ハサミ４１を固定している。
上記のようにツールカバー５０を設けたので、たとえば釣り用ベスト３２が揺れるなどしても、紐先端１２へ固定したツール４０を覆って、ツール４０である例えば小型ハサミ４１が揺れないように押えて安定させる。
【００８５】
図３０（ａ）では、被服３０は釣人が着用する釣り用ベスト３２で、そのフロント側に幾つもの小物入れ用のポケット部を備えている。そのうちの一つのポケット部２１を用いてリールポケット２０を形成している。そのリールポケット２０は、前述した図９のリールポケット２０と同様である。
【００８６】
図３０（ｂ）および図３０（ｃ）のリールポケット２０は、前述した図２４および図２５のリールポケット２０と同様である。釣り用ベスト３２におけるフロント側の生地３１の裏面側へポケット部２１を形成している。前記ポケット部２１の収納物出入り口２１Ｃは釣り用ベスト３２の生地３１に形成した開口であり、その収納物出入り口２１Ｃを覆う蓋部材２４を備える。蓋固定部材２４Ａは、一般に使用されるボタンなどの留め具である。前記収納物出入り口２１Ｃは、被服３０の表面側から収納物を出し入れすることができる。
さらに、収納物出入り口２１Ｃから入れたリール本体１０を収納した際に、リール紐１１の紐先端１２を前記ポケット部２１から被服３０の表面側の外へ引き出す紐先端引き出し孔２２を備えている。この紐先端引き出し孔２２は、被服３０の生地３１に形成されることで、被服３０の表面側へ臨んでいる。
【００８７】
図３１（ａ）では、被服３０は釣人が着用する釣り用ベスト３２で、そのフロント側に幾つもの小物入れ用ポケットを備えている。そのうちの一つのポケット部２１を用いてリールポケット２０を形成している。詳しく説明すると、前記ポケット部２１は、釣り用ベスト３２における襟の後ろの生地３１の内側（裏面側）に形成している。
図３１（ｂ）および図３１（ｃ）に示すリールポケット２０は、前記ポケット部２１が、被服３０の裏面側から収納物を出し入れする収納物出入り口２１Ｃを備えて被服３０の生地３１へポケット生地２１Ａを重ね合わせて、たとえば縫製によって固定して形成されている。  さらに、収納物出入り口２１Ｃから入れたリール本体１０を収納した際に、リール紐１１の紐先端１２を前記ポケット部２１から被服３０の外へ引き出す紐先端引き出し孔２２を形成している。
【００８８】
図３１（ｂ）では、前記収納物出入り口２１Ｃを覆う前記蓋部材２４のほぼ中央に紐先端引き出し孔２２を設けている。図３１（ｃ）では、収納物出入り口２１Ｃを開閉可能とするために面ファスナーなどの蓋固定部材２４Ｂを設けている。前記蓋固定部材２４Ｂは、図７で示したように互いにくっつけたり剥がしたりできる，一対の固定部材片からなる。前記蓋固定部材２４Ｂにて閉塞した時に形成される隙間が紐先端引き出し孔２２となる。
前記リールポケット２０に収納したリール本体１０から引き出したリール紐１１の紐先端１２へ帽子４２を固定している。  釣り場では突風が吹く場合があるので、帽子４２が飛ばされることがある。しかし、リール紐１１の紐先端１２へ帽子４２を固定しているので、飛ばされても大丈夫である。
【００８９】
以上のように記載した各実施形態のリールポケット２０は、主として釣人が魚釣り時に使用する釣り用ベスト３２を被服３０として説明したが、特に限定されないので、他の種類の被服３０についてもいくらか説明する。
図３２（ａ）および図３２（ｂ）では、背広３３におけるフロント側の生地３１の裏面側にポケット部２１を形成している。前記ポケット部２１を用いてリールポケット２０を形成している。詳しく説明すると、このリールポケット２０は、前述した図２２および図２３のリールポケット２０と同様である。
【００９０】
図３２（ｂ）に示すように、前記リールポケット２０における第一の紐先端引き出し孔２２Ｂに近い場所に、背広３３のフロント側の生地３１に表面側へ貫通する第二の紐先端引き出し孔２２Ｃを形成している。
一方、背広３３におけるフロント側の生地３１の表面側には胸ポケット３３Ａを形成しており、前記第二の紐先端引き出し孔２２Ｃは胸ポケット３３Ａの内部に連通する。
【００９１】
前記リールポケット２０に収納したリール本体１０から引き出したリール紐１１の紐先端１２は、前記第一の紐先端引き出し孔２２Ｂから前記第二の紐先端引き出し孔２２Ｃへ通過させて背広３３のフロント側の胸ポケット３３Ａの内部から外に出す。そして、紐先端１２へ道具としてのたとえば携帯電話４３を固定する。その携帯電話４３は前記胸ポケット３３Ａへ収納しておく。
携帯電話４３を使用する時は、胸ポケット３３Ａから携帯電話４３を取り出し、リール紐１１を引き出す。携帯電話４３を胸ポケット３３Ａへ戻す場合、リール紐１１がリール本体１０へ巻き戻されることになる。したがって、リール紐１１は必要な時に延びるが、不要な時は戻されるので、邪魔にならない。しかも、姿勢を変えたために携帯電話４３が胸ポケット３３Ａから出てきても、リール紐１１の先端に固定されているので、落下することを防止できる。
【産業上の利用可能性】
【００９２】
本発明は、本発明は、釣具、釣用備品の製造業、釣具、釣用備品のレンタル業などのレジャー産業、服飾産業において利用可能性を有する。
【符号の説明】
【００９３】
１０；リール本体                    １１；リール紐
１２；紐先端                        １３；凹凸
２０；リールポケット
２１；ポケット基材                  ２１Ａ；基材固定部材
２２；カバー部材                    ２２Ａ；紐先端引き出し孔
２２Ｂ；横孔                        ２２Ｃ；リール出入口
２２Ｄ；仕切り部材                  ２２Ｅ；蓋用固定部材
２３；リール保護体                  ２３Ａ；スリット（自在孔）
２３Ｂ；フランジ
２４；ポケット蓋部材                ２４Ａ；蓋固定部材
２４Ａａ；固定部材片                ２４Ａｂ；固定部材片
２４Ｂ；ヒンジ                      ２４Ｃ；紐先端引き出し孔
２５；押さえ部材                    ２６；カバー部材
２７；ファスナー                    ２７Ａ；スライダー
２７Ｂ；エレメント                  ２７Ｃ；開口
２８；掛け具
３０；被固定体（服、鞄、クーラーボックス）
３１；ゴム製の前掛け                ３２；作業衣服
３３；ヘルメット                    ３４；ウェーダー（釣り用長靴）
３５；釣り用ベスト                  ３５Ａ；ポケット用開口
３５Ｂ；貫通孔部                    ３６；クーラーボックス
３７；背広                          ３７Ａ；胸ポケット
３７Ｂ；貫通孔部
３８；ベルト
４０；ツール（ハサミ、工具）        ４１；小型ハサミ
４２；釣用ランディングネット        ４３；帽子
４４；魚釣り用曳舟                  ４５；携帯電話
４６；腰袋
５０；ツールカバー
５１；ツールカバーテープ            ５１Ａ；間隔
５２；ツールカバー部材              ５２Ａ；開口
５３；ツールカバーシート            ５３Ａ；開口
５４；ツールカバー固定部材          ５４Ａ；固定部材片
５４Ｂ；固定部材片
【図１】
2014087304.tif 000003
【図２】
2014087304.tif 000004
【図３】
2014087304.tif 000005
【図４】
2014087304.tif 000006
【図５】
2014087304.tif 000007
【図６】
2014087304.tif 000008
【図７】
2014087304.tif 000009
【図８】
2014087304.tif 000010
【図９】
2014087304.tif 000011
【図１０】
2014087304.tif 000012
【図１１】
2014087304.tif 000013
【図１２】
2014087304.tif 000014
【図１３】
2014087304.tif 000015
【図１４】
2014087304.tif 000016
【図１５】
2014087304.tif 000017
【図１６】
2014087304.tif 000018
【図１７】
2014087304.tif 000019
【図１８】
2014087304.tif 000020
【図１９】
2014087304.tif 000021
【図２０】
2014087304.tif 000022
【図２１】
2014087304.tif 000023
【図２２】
2014087304.tif 000024
【図２３】
2014087304.tif 000025
【図２４】
2014087304.tif 000026
【図２５】
2014087304.tif 000027
【図２６】
2014087304.tif 000028
【図２７】
2014087304.tif 000029
【図２８】
2014087304.tif 000030
【図２９】
2014087304.tif 000031
【図３０】
2014087304.tif 000032
【図３１】
2014087304.tif 000033
【図３２】
2014087304.tif 000034